(57)【要約】【課題】表示部と、入力部と、生体情報検出部と、送信部を有するＩＣカード及びこれを使用する本人の認証方法を提供する。【解決手段】表面に少なくとも表示部と、操作部と、生体情報検出部とを形成し、内部には少なくとも参照用生体情報を格納する情報格納部と、生体情報照合部と、制御部と、電力供給部と、通信部とを内蔵したＩＣカードと、少なくとも、操作部によって電源を入力する電源入力ステップと生体情報入力要請コマンド入力ステップと、表示部に生体情報入力許可メッセージを表示する生体情報入力許可メッセージ表示ステップと、生体情報検出部によって生体情報を検出する生体情報検出ステップと、入力された生体情報と参照用生体情報を照合する生体情報照合ステップと、照合一致の結果を表示部に表示する照合結果表示ステップによって、該カードの使用者が本人であることを認証する【選択図】  図１
2004164347.tif 000002
【特許請求の範囲】
【請求項１】
表面に少なくとも表示部と、操作部と、生体情報検出部とを形成し、内部には少なくとも参照用生体情報を格納する情報格納部と、生体情報照合部と、制御部と、電力供給部と、通信部とを内蔵したことを特徴とするＩＣカード。
【請求項２】
前記操作部には、少なくとも１０キーと電源オン、オフのための電源入力キーを設けたことを特徴とする請求項１に記載のＩＣカード。
【請求項３】
前記生体情報検出部は、指紋を検出するセンサーであることを特徴とする請求項１〜２何れか１項に記載のＩＣカード。
【請求項４】
請求項１〜３何れか１項に記載のＩＣカードを使用し、少なくとも、操作部の電源入力キーによって電源を入力する電源入力ステップと、操作部の１０キーによって生体情報入力要請コマンドを入力する生体情報入力要請コマンド入力ステップと、表示部に生体情報入力許可メッセージを表示する生体情報入力許可メッセージ表示ステップと、生体情報検出部によって生体情報を検出する生体情報検出ステップと、入力された生体情報と参照用生体情報を照合する生体情報照合ステップと、照合一致の結果を表示部に表示する照合結果表示ステップによって、該ＩＣカードの使用者が本人であることを認証することを特徴とするＩＣカードを使用する本人の認証方法。
【請求項５】
前記生体情報入力要請コマンドは、入力する本人のみが知る秘密番号であることを特徴とする請求項４に記載のＩＣカードを使用する本人の認証方法。
【発明の詳細な説明】
【０００１】
【発明の属する技術分野】
本発明は、本人認証のためのＩＣカード及び、認証方法に関し、詳しくはＩＣカードなどの表面に入力のためのキー、手順などを表示する表示部、指紋検出センサーを設け、指紋が一致して初めて目的とするステップに移行できるようにしたＩＣカードとそれを使用する本人の認証方法に関する。
【０００２】
【従来の技術】
近年、パーソナルコンピュータや携帯電話を利用する電子商取引が急速に普及しつつある。
インターネット等を利用した電子商取引において、本人を確認する手段の多くは入力されたパスワードを登録されたパスワードと照合することによって行われている。
ところが、パスワードは解読されやすい番号としていることが多いために盗まれたり、解読されて悪用される事件が多発している。
【０００３】
そのため、カード等を利用した電子商取引等においては、偽造、盗用されたカードが使用されるケースも増加しており、当面はカードのパスワードを盗用、漏洩から確実に護ることが先決である。
【０００４】
そこで、上記課題解決の為の技術がいくつか開示されている。
たとえば、指紋読み取り装置と、指紋情報判定器と、端末使用許可情報記録器と、指紋情報を登録するメモリと、無線の送受信器と、不正使用されたときの報知手段であるスピーカーなどを備えた認証カードが開示されている（特許文献１参照）。
上記認証カードは不正利用された場合、スピーカーで知らせたり、無線装置によって外部端末に警報を送信することができるが認証カード自らがカードに対する不正利用防止手段を実行していない。また、可変データの表示部を有しないために手順の表示や、取引情報の表示を行うことができない。
【０００５】
また、指紋検出手段と、指紋記憶手段と、指紋照合手段からなる指紋認証装置と、無線発信装置を搭載した携帯機器／端末で、認証終了後、該無線発信装置からアクセス許可信号を受信装置に送信し、販売製品、または提供役務に対するアクセス権を確保する装置及び方法が開示されている（特許文献２参照）。
この発明の携帯機器／端末にはデータ入力部についての記載が無いために、本人認証された場合にアクセス権確保の信号を送信するだけで、携帯機器／端末単独でのデータ入力及び表示が行われない。特許文献２に記載の請求項１０、１１で、携帯機器／端末は、携帯電話、またはＰＨＳであるとしてデータの入力を可能としているが、この場合電話会社との契約が必要であり、利便性を損なうという欠点がある。
【０００６】
【特許文献１】
特開平１１−１３４３０２号公報
【特許文献２】
特開２００２−８２９１４号公報
【０００７】
【発明が解決しようとする課題】
そこで本発明は、携帯電話等の携帯機器に代る表示部と、入力部と、生体情報検出部と、送信部を有するＩＣカード及びこれを使用する本人の認証方法を提供する。
【０００８】
【課題を解決するための手段】
前記課題の目的を達成するために本発明のＩＣカードの請求項１に記載の発明は、表面に少なくとも表示部と、操作部と、生体情報検出部とを形成し、内部には少なくとも参照用生体情報を格納する情報格納部と、生体情報照合部と、制御部と、電力供給部と、通信部とを内蔵したことを特徴とするものである。
【０００９】
また、請求項２に記載の発明は、請求項１に記載の発明において、操作部には、少なくとも１０キーと電源オン、オフのための電源入力キーを設けたことを特徴とするものである。
【００１０】
また、請求項３に記載の発明は、請求項１〜２何れか１項に記載の発明において、生体情報検出部は、指紋を検出するセンサーであることを特徴とするものである。
【００１１】
また、請求項４に記載の発明のＩＣカードを使った本人認証方法は、請求項１〜３何れか１項に記載のＩＣカードを使用し、少なくとも、操作部の電源入力キーによって電源を入力する電源入力ステップと、操作部の１０キーによって生体情報入力要請コマンドを入力する生体情報入力要請コマンド入力ステップと、表示部に生体情報入力許可メッセージを表示する生体情報入力許可メッセージ表示ステップと、生体情報検出部によって生体情報を検出する生体情報検出ステップと、入力された生体情報と参照用生体情報を照合する生体情報照合ステップと、照合一致の結果を表示部に表示する照合結果表示ステップによって、該カードの使用者が本人であることを認証することを特徴とするものである。
【００１２】
また、請求項５に記載の発明は、請求項４に記載の発明において、生体情報入力要請コマンドは、入力する本人のみが知る秘密番号であることを特徴とするものである。
【００１３】
【発明の実施の形態】
以下図面を参照して、本発明のＩＣカード及びこれを使用する本人の認証方法の好適な実施形態について説明する。
また、本実施の形態の説明では生体情報検出手段として指紋検出手段の例で説明する。
【００１４】
図１は、本発明のＩＣカードの一実施形態の概略正面図、図２は、図１に示すＩＣカードの内部構成を概略的に示すブロック図、図３は、指紋検出センサーの一実施形態の概略正面図、図４は、本発明のＩＣカードを使用する本人の認証方法の認証フロー図、図５は、本発明のＩＣカードの一実施形態の概略正面図、である。
【００１５】
図１において、本発明のＩＣカード１の正面には、生体情報読み取りセンサー（以下指紋センサーという。）１１、表示部１２、操作部１３が設けられている。
ＩＣカードの中には接触型ＩＣカードがあり、カードの表面に形成された外部端末接続端子（外部端子）と外部端末を接続させてＩＣカードに格納されている情報を読み取り、外部端末から送信される情報を読み書きするようになっているが、本実施の形態では、非接触型ＩＣカードでアンテナ１７によって情報の受信、送信を行う。
したがって、本図では図示しないが、接触型ＩＣカードの場合は、ＩＣカード１の表面に外部端子が設けられている。
上記の部品以外に、図示していないが、ＩＣカードの表面には固定情報としてＩＣカードの名称、デザインなどが印刷されている。
また、ＩＣカード所持者の識別情報として、ＩＣカード所持者の顔画像、ＩＤコードが、ＩＣカード利用のための情報として、ＩＣカードの利用有効期間または有効期限等が印字、または打刻されている。
【００１６】
図１の操作部は、ＩＣカードの所持者が操作部１３を右手の指で操作できるように右側に配置されている。その時に左手の指は、ＩＣカードを支え、指紋センサー１１に自然に触れるように配置されている。
操作部のボタンは、図１では０〜９までの数字ボタンと、クリアボタンが形成されているが、数字ボタンにアルファベットや、仮名などの機能を持たせることもできる。また、図１では、親指で操作しやすいように、数字を縦横に並べて配置しているが、例えば、図５に示すように横長に並べても良い。
指紋センサー１１については、図３で詳細に説明する。
また、表示部１２には、公知の液晶や、電気泳動等の表示材料が使用される。
これらの部品は、図示している大きさに拘るものではなく、ＩＣカードのデザインや、機能に応じて各部品の大きさ、配置位置が決定される。
【００１７】
図１を参照して、ＩＣカードによる本人認証の方法について説明する。
まず、左手と右手でＩＣカード１を支え、右手の親指、または人差指で操作部１３の電源ボタン１３１を押す。
電源がオンになると表示部１２にはパスワード、または指紋入力要請コマンドの入力を要請するメッセージが表示される。
ＩＣカードの所持者は、１０キーによってパスワード、または指紋入力要請コマンドを入力する。
ＩＣカードは、入力されたパスワード、または指紋入力要請コマンドと参照用に格納されているパスワード、または指紋入力要請コマンドと照合して、一致している事が確認されるとＩＣカードは、表示部に指紋検出許可メッセージを表示する。
【００１８】
ＩＣカード所持者は、指紋センサーに登録している指を押し当てて、指紋を検出する。
指紋センサーは、採取した指紋データと、ＩＣカードに格納されている参照用指紋情報を照合する。
照合の結果一致していれば、照合一致の結果を表示部に表示する。
不一致の場合、ＩＣカードは、理由を表示して、再度指紋を検出するよう表示部１２にメッセージを送る。エラー回数が定められた回数以上になった場合は、カードを一旦ロックし、ＩＣカード発行機関にＩＣカードを持参するようメッセージを表示する。
【００１９】
従来のＩＣカードは、端末と交信して、最初のステップでパスワードを入力し、一致していれば、直ちに取引が許可されていたが、本発明のＩＣカードの場合は、更にその先に指紋照合のチェックを行うために、パスワードが盗用され、実行されても次の関門として指紋照合を行う必要があり、悪用を困難にしている。
このように、指紋センサーとの併用で２重のチェックを実行するためには、少なくともパスワードなどを入力するための操作部の入力キー、適切なメッセージを表示するための表示部が必要であることが判る。
【００２０】
指紋照合の結果、ＩＣカードの所持者が本人であることが証明されると、表示部１２には、例えば銀行取引や、電子商取引などのアプリケーションコード（コマンド）を操作部１３から入力するよう、指示メッセージが表示される。
ＩＣカード所持者がＩＣカードの操作部からアプリケーションコマンドを入力すると、ＩＣカードの発信部のアンテナ１７からはアプリケーション端末に対しアクセス信号が送信される。
【００２１】
図２を参照してＩＣカードの内部構成について説明する。
本発明のＩＣカード１は、薄い金属またはプラスチックの外装部材に一体的に取りつけられた指紋センサー１１、表示部１２、操作部１３と、内部に組み込まれた電源１４、制御部材１５、１６、無線インターフェース部材１７、１８、情報格納部（メモリ）１９で構成されている。
ＩＣカード本体は、前述のようにプラスチックの成形によっても金属プレートの組み立てによっても何れでも良い。
但し、カードを外部端末に挿入して、または、カード本体を駆動させてデータ処理を行う場合は、カードの外形が国際標準を満足していることが必要である。
また、カードの外装材が金属の場合は、アンテナ周辺部に対し信号の送受信を妨げないような配慮が必要である。
【００２２】
電源ボタン１３１によって電源１４がオンになると、制御部１（１５）、制御部２（１６）等の制御部に電力が供給される。制御部１（１５）は、通信制御部を制御し、所定の情報を送受信する。制御部２（１６）は、表示部に表示電力を供給し、更に指紋センサー内の制御部に対して必要な電力を供給する。
制御部１（１５）と、制御部２（１６）は一体化することもできる。
また、図示していないが前記それぞれの制御部、または、何れかの制御部は、ＲＡＭ、ＲＯＭを備えることができる。
無線インターフェース部材は、アンテナ１７と、コントローラ１８で図示されているが、１チップ型ブルートゥース集積回路のように一体化されたものや、赤外線タイプの送受信部材であっても良い。
情報格納部（メモリ）１９には、表示部に表示する記号や文字のパターンデータや、駆動，表示プログラム，操作部から入力されたコマンド情報を一時保管するプログラムを格納することができる。
また、登録された参照用指紋データや、参照用パスワードや、アプリケーション毎の保管データをファイル別に格納することができる。
【００２３】
指紋センサー１１には、指紋の特徴を認識して、その組み合わせで指紋パターンを生成する指紋メモリ、認識回路が組み込まれている。指紋が指紋センサーによって検出された時に指紋の特徴をデータにして制御部２（１６）を介して情報格納部（メモリ）１９に登録する。
【００２４】
図３を参照して指紋センサー１１の一実施形態について説明する。
指紋センサー１１は、指が接触する表面がマトリックス状に細分化された複数の画素ユニットで構成され、それぞれの画素ユニットにセンサー回路を有する凹凸センサー部、指紋メモリ、認識回路が接続されている。
凹凸センサー部に配置されたセンサー素子は、層間絶縁膜上に配置された接触面を有する接触電極と接触電極に接続された配線層で構成される。
接触電極は、画素ユニットの最表面に配置され、指が接触することによって、発生する静電容量を検知する。
接触電極で検知された信号は、配線層で認識回路に伝搬される。
このセンサー素子では、接触電極の静電容量を測定し接触面が触れている部分の指紋の凹凸を検知する。
上述の静電容量方式のほかに光学方式の指紋検出方法がある
【００２５】
図４を参照して本発明のＩＣカードを使用する本人の認証方法の認証手順について説明する。
まず、ステップ１（以下Ｓ１という）で、ＩＣカードの表面に形成された電源ボタンを押す。ＩＣカードの所定の部品に電力が供給され表示部にパスワード、または指紋入力要請コマンドの入力を要請するメッセージが表示される。
ＩＣカード所持者は、操作部の１０キーによってパスワード、または指紋入力要請コマンドを入力する（Ｓ２）。ＩＣカードは入力されたパスワード、または指紋入力要請コマンドと、参照用に格納されているパスワード、または指紋入力要請コマンドと照合して、一致している事が確認されたら、表示部に指紋検出許可メッセージを表示する。
【００２６】
ＩＣカード所持者は、指紋センサーに登録している指を押し当てて、指紋を検出する。登録する指は親指でも人差指でも、複数の指でもよい。
登録している指を指紋センサーに押し当てて指紋を検出する（Ｓ３）。指紋センサーは、検出した指紋情報とＩＣカードのメモリ部に格納されている登録指の参照用指紋情報とを照合する（Ｓ４）。
照合の結果一致していれば、照合一致の結果を表示部に表示する。
不一致の場合、ＩＣカードは、再度指紋を検出するよう表示部１２にメッセージを送る（Ｓ８）。エラー回数が定められた回数以上になった場合は、カードを一旦ロック（Ｓ９）し、ＩＣカード発行機関にＩＣカードを持参するようメッセージを表示する。
【００２７】
指紋照合の結果、該ＩＣカードの所持者が本人であることが証明されたら、表示部は、例えば銀行取引や、電子商取引などのアプリケーションコード（コマンド）を操作部１３から入力するようメッセージを表示する。
ＩＣカード所持者は、希望するアプリケーションコマンドを入力する（Ｓ５）。
ＩＣカードのアンテナからはアプリケーション端末に対しアクセス信号を送信し交信する（Ｓ６）。
交信した結果を表示部に表示する（Ｓ７）。
【００２８】
【発明の効果】
１）請求項１から３に記載のように、表面に少なくとも表示部と、１０キーと電源入力キーからなる操作部と、指紋センサーなどの生体情報検出部を形成し、内部には少なくとも参照用生体情報を格納する情報格納部と、生体情報照合部と、制御部と、電力供給部と、通信部を内蔵したことによってＩＣカードを立ち上げる際のセキュリティを高めることができ、ＩＣカードの所持者以外の悪用を防ぐことができる。
２）請求項４、５に記載のように、請求項１〜３何れか１項に記載のＩＣカードを使用し、少なくとも、操作部の電源入力キーによって電源を入力する電源入力ステップと、操作部の１０キーによってパスワードなど本人のみが知る秘密コマンドを入力する生体情報入力要請コマンド入力ステップと、表示部に生体情報入力許可メッセージを表示する生体情報入力許可メッセージ表示ステップと、生体情報検出部によって生体情報を検出する生体情報検出ステップと、入力された生体情報と参照用生体情報を照合する生体情報照合ステップと、照合一致の結果を表示部に表示する照合結果表示ステップによって、該カードの使用者が本人であることを認証することによってＩＣカード使用する前に２重のチェックをかけることができる。
【図面の簡単な説明】
【図１】本発明のＩＣカードの一実施形態の概略正面図
【図２】図１に示すＩＣカードの内部構成を概略的に示すブロック図
【図３】指紋検出センサーの一実施形態の概略正面図
【図４】本発明のＩＣカードを使用する本人の認証方法の認証フロー図
【図５】本発明のＩＣカードの一実施形態の概略正面図、
【符号の説明】
１，１ｂ  ＩＣカード
１１，１１ｂ  生体情報読み取りセンサー
１２，１２ｂ  表示部
１３，１３ｂ  操作部
１４    電源
１５    制御部１
１６    制御部２
１７，１７ｂ  無線インターフェースのアンテナ
１８    無線インターフェースの通信制御部
１９    情報格納部（メモリ）
１３１，１３１ｂ  電源スイッチ
【図１】
2004164347.tif 000003
【図２】
2004164347.tif 000004
【図３】
2004164347.tif 000005
【図４】
2004164347.tif 000006
【図５】
2004164347.tif 000007